(57)【要約】【課題】  液体の量が少なくなっても飲料容器が浮力により浮くことのない液体保温装置を提供する。【解決手段】  上部に開口を有する外側容器と、上部に開口を有し前記外側容器の内側に配設された内側容器と、前記外側容器と前記内側容器とを脱着可能に固定する固定手段と、を有する。【選択図】      図１
2006320538.tif 000002
【特許請求の範囲】
【請求項１】
上部に開口を有する外側容器と、
上部に開口を有し前記外側容器の内側に配設された内側容器と、
前記外側容器と前記内側容器とを脱着可能に固定する固定手段と、
を有する、液体保温装置。
【請求項２】
上部に開口を有する外側容器と、
上部に開口を有し前記外側容器の内側に配設された内側容器と、
前記外側容器と前記内側容器とを脱着可能に固定する固定手段と、
前記内側容器に密接するように嵌め込み可能な飲料容器と、
を有する、液体保温装置つき飲料容器。
【発明の詳細な説明】
【技術分野】
【０００１】
本発明は、液体保温装置に関する。より詳しくは、氷、温水等により液体を保温する液体保温装置に関する。
【背景技術】
【０００２】
冷たい液体や暖かい液体を室温中に放置すると、液体と室温との温度差は急激に小さくなる。例えば真夏によく冷えたビールをグラスに注いでも、室内に放置すればすぐに温まってしまい、適温に保つことができない。
【０００３】
かかる問題を解決するための装置として、例えば、特許文献１に開示された保冷温器がある。この保冷温器は、外側容器の内側に、取り外しのできる、孔の開いた同素材の内側容器を設置し、蓋をするものである。使用時には、外側容器の内部に氷水を入れ、その内側に内側容器を挿入する。このとき、氷は孔を通らず、冷たい水だけが内側容器の内側に入り込む。そこにコップやグラス等の飲料容器を挿入することで、飲料を好適な温度に保つことができる。
【特許文献１】特開２００２−３９６５６号公報
【発明の開示】
【発明が解決しようとする課題】
【０００４】
しかしながら前記従来の構成において、飲料容器中の飲料が少ないと装置内に入れた際に飲料容器自体が浮力により浮いてしまい、前記飲料がこぼれるなどして、快適に飲食がしにくいという問題を有していた。
【０００５】
本発明は上記のような課題を解決するためになされたもので、保温効果を有しながらも快適に飲食が可能な液体保温装置を提供することを目的としている。
【課題を解決するための手段】
【０００６】
本発明者は、飲食物、特にビールを卓上で好適な温度に保つ方法について鋭意検討を行った。そして、以下の点に気づいた。すなわち従来の保冷温器では、内側容器の側面や底面に孔があいており装置内部に冷水が張られる。ここで、グラス（飲料容器）にビールが入った状態であれば、グラス全体としては重く水に沈むため、前記冷水中で冷やすことができる。しかし、飲食が進んでグラス内のビールが少なくなると、グラスが浮力で浮き上がってしまうという問題があった。また、従来の構成では、グラスが冷水により濡れてしまい、使用時に手やテーブルが濡れてしまうという問題もあった。このように、従来の保冷温器は快適に使用する上で不十分なものであった。
【０００７】
ここで、内側容器に孔をあけず、水を張らないこととすれば、内側容器中でグラスが浮くことはない。しかし、この場合には内側容器そのものが外側容器に張られた水に浮いてしまう。これを防ぐべく、内側容器を外側容器に固定してしまうという方法も考えられる。しかし、この場合には内側容器と外側容器の間が洗浄しにくくなり、不衛生になるという問題が生じる。発明者は、内側容器と外側容器を脱着可能な固定具により固定することとすれば、上述の問題を全て解決できることを発見した。
【０００８】
すなわち、上記課題を解決するために、本発明の液体保温装置は、上部に開口を有する外側容器と、上部に開口を有し前記外側容器の内側に配設された内側容器と、前記外側容器と前記内側容器とを脱着可能に固定する固定手段と、を有する。
【０００９】
かかる構成では、内側容器は外側容器に固定されるため、内側容器が浮き上がることがない。また、内側容器の内部に水を張る必要がないため、空のグラス等を入れても浮き上がることがない。また、内側容器を外側容器から脱離させることができるため、容器の洗浄が容易であり、衛生的である。よって、保温効果を有しながらも快適に飲食が可能な液体保温装置を提供することができる。
【００１０】
また、本発明の液体保温装置つき飲料容器は、上部に開口を有する外側容器と、上部に開口を有し前記外側容器の内側に配設された内側容器と、前記外側容器と前記内側容器とを脱着可能に固定する固定手段と、前記内側容器に密接するように嵌め込み可能な飲料容器と、を有する。
【００１１】
かかる構成では、内側容器は外側容器に固定されるため、内側容器が浮き上がることがない。また、内側容器の内部に水を張る必要がないため、飲料容器が空になっても浮き上がることがない。また、内側容器を外側容器から脱離させることができるため、容器の洗浄が容易であり、衛生的である。さらに、飲料容器は内側容器と密接するため、飲料容器と内側容器の間で熱の交換が起こりやすく、保温効果が高まる。よって、本構成によっても、保温効果を有しながらも快適に飲食が可能な液体保温装置を提供することができる。
【００１２】
なお、「保温」とは、液体の温度を好適に保つことをいい、より具体的には、暖かく提供される液体については暖かい状態に、冷たく提供される液体については冷たい状態に保つことをいう。なお、冷たい液体を保温する場合において、保温材が前記液体よりも冷たい場合には、前記液体が当初より冷却される場合もある。また、暖かい液体を保温する場合において、保温材が前記液体よりも暖かい場合には、前記液体が当初より加温される場合もある。本発明における保温の概念は、かかる場合をも含むものである。
【発明の効果】
【００１３】
本発明の液体保温装置は、上記のような構成を有し、以下のような効果を奏する。すなわち、保温効果を有しながらも快適に飲食が可能な液体保温装置を提供することが可能となる。
【発明を実施するための最良の形態】
【００１４】
以下、本発明の実施の形態を、図面を参照しながら説明する。
（第１実施形態）
図１は、本発明の第１実施形態の液体保温装置の概略構成の一例を示す断面図である。以下、図１を参照しながら、本実施形態の液体保温装置について説明する。
［構造］
図１に示す通り、本実施形態の液体保温装置は、概略として、上部が開口している円筒状の外側容器１と、上部が開口し、外側容器１の内側に配設された、逆円錐台状の内側容器２とを備えている。外側容器１の内面の底部中央には、円盤状の台３が固定されており、台３の上面にはさらに、外周面に雄ねじを有する円柱状の雄ねじ部４が固定されている。また、内側容器２の外面の底部中央には、内周面に雌ねじを有する円筒状の雌ねじ部５が固定されている。そして、雌ねじ部５が雄ねじ部４にねじ込まれることにより、内側容器２が外側容器１に脱着可能に固定される。すなわち、台３と雄ねじ部４は、全体としていわゆるボルト型の構造を、雌ねじ部５がいわゆるナット型の構造を有しており、それぞれが外側容器１と内側容器２に固定されている。そして、ボルトをナットにねじ込む様式により、内側容器２が外側容器１の内側に脱着可能に固定される。
［材料および製造方法］
本実施形態の液体保温装置において、外側容器１、内側容器２、台３、雄ねじ部４、雌ねじ部５の材料には、例えば、銅やステンレスを用いることができ、公知の方法で製造されうる。外側容器１、台３、雄ねじ部４は、溶接により相互に固定されうる。また、内側容器２、雌ねじ部５は、溶接により相互に固定されうる。
［使用方法］
図２は、本実施形態の液体保温装置の使用状態の一例を示す斜視図である。以下、図２を参照しつつ、本実施形態の液体保温装置の使用方法につき、ビールの保温（保冷）を例として説明する。
【００１５】
まず、雄ねじ部４と雌ねじ部５が螺合されることで、外側容器１と内側容器２が固定され、両容器の間に氷水８（保温材）が入れられる。これにより、内側容器２の内部は低温に保たれる。そして、内側容器２にビールを入れたグラス７（飲料容器）が挿入される。これにより、グラス７中のビールは氷水により冷やされ、長時間に亘り適温に維持される。使用後は、グラス７を内側容器２が取り出され、氷水が捨てられる。そして、必要に応じて、内側容器２は外側容器１から取り外され、装置の洗浄が行われる。
【００１６】
外側容器１に氷水を入れてから内側容器２を固定してもよいが、その場合、氷が邪魔になって内側容器２を螺嵌しにくい場合がある。よって、氷水を保温材に使用する場合には、氷水を投入する前に、外側容器１と内側容器２を予め固定しておく方がよい。
【００１７】
外側容器１と内側容器２の間に水を入れ、装置全体を冷凍庫などに入れることで前記水を凍らせると、高い保冷効果を得られることが期待される。水を凍結させると体積が膨張し、水があふれる可能性がある。よって、外側容器１に、凍らせてもあふれないように、適正な水位の上限を示す線を設けることが好ましい。
【００１８】
なお、冷凍庫で別途製造した氷を水と混ぜて保温材とすれば、氷が解けても容易に交換することができる。かかる使用態様は、飲食店におけるビールや冷酒の提供等、短時間で繰り返し使用される場合に好適である。
【００１９】
上記の使用方法は、冷酒やカクテル、ソフトドリンク等の保温（保冷）に使用できることは言うまでもない。また、お湯等の高温の保温材を使用すれば、熱燗酒等の暖かい飲料に対しても保温効果を得ることができる。
［効果］
本実施形態の液体保温装置によれば、外側容器１と内側容器２の間に充填された保温材により、内側容器２の中に挿入された飲料容器中の液体が保温される。よって、前記液体を長時間に亘り好適な温度に保つことができる。また、外側容器１と内側容器２は使用時に固定されているため、飲料の量が少なくても、内側容器２や飲料容器が浮き上がることがない。また、内側容器２に保温材を入れる必要がないため、飲料容器が保温材で濡れることもない。よって、保温効果を奏しつつ、快適に飲食できる。
【００２０】
また、外側容器１と内側容器２は脱着可能である。よって、内側容器２を外側容器１から取り外すことで、外側容器１の内面や内側容器２の外面を容易に洗浄でき、衛生的である。保温材は容易に交換できるため、温水や氷水等を保温材として適宜交換してすれば、同一の装置を暖かい液体の保温にも冷たい液体の保温にも使用できる。また、製氷機等で生成された氷を保温材として使用できる。
［変形例］
外側容器１、内側容器２、台３、雄ねじ部４、雌ねじ部５の材料は、十分な耐水性と強度を有するものであればどのようなものであってもよく、例えば、プラスチック、真鍮等の金属、ガラス等が好適に用いられる。容器にガラス等の透明な材質を用いれば、砕いた氷にビーズなどを混ぜて保温材とした場合に、外側からこれを視認でき、装飾的にも美しく効果的である。なお、内側容器２は、冷却または加温効果を高めるため、熱伝導性の高い材料を使用することが好ましい。
【００２１】
保温材は、外側容器１と内側容器２の間の空間に充填可能であればどのようなものでもよいが、熱容量の高い物質が好ましい。例えば、氷、氷水、氷と塩を混ぜた寒剤、温水等は、保温材として好適に使用できる。特に、細かく砕いた氷（かき氷）は製氷機などで簡便に生成でき、レストランやバー等においてビールや冷酒等を提供する上で保温材として好適に使用できる。
【００２２】
内側容器２が外側容器１に固定された状態で氷を交換できると、繰り返しの使用に好適である。よって、本実施形態の液体保温装置を保冷に使用する場合には、外側容器１の開口部内周と内側容器２の開口部外周の間に、製氷機で作成された氷を通すことができる程度の隙間が開いていることが望ましい。なお、外側容器１と内側容器２の間に保温材を入れる際に、内側容器２の内部にまで保温材が入らないように、内側容器２が取り外し可能な蓋を有していてもよい。保温材を入れた後に前記蓋を取り外せば、内側容器２の内部は濡れず、飲料容器の側面が濡れるのも防止できる。
【００２３】
外側容器１は、保温効果を高めるために、断熱構造（二重壁、断熱材等）を有していてもよい。あるいは、外側容器１を木材等の断熱性の高い材料で構成してもよい。
【００２４】
外側容器１と内側容器２を固定する手段（固定手段）は、両者を脱着可能に固定できるものであれば、如何なるものであってもよい。例えば、雌ねじ部４が台３および外側容器１に、雄ねじ部５が内側容器２に、固定されていてもよい。あるいは、台３を設けず、ねじが外側容器１に直接固定されていてもよい。また、固定手段としては、ねじ式、磁石式、スナップボタン式など種々の装置を用いることができる。
【００２５】
固定手段は、外側容器１および内側容器２の片方のみに設けられていてもよい。例えば、磁石を外側容器１の底に配設し、内側容器２を金属としてもよい。あるいは、外側容器１の内側面にゴムのスペーサ等を取り付け、内側容器２を強く押し込むことで内側容器２を固定してもよい。
【００２６】
固定手段の位置はかならずしも底でなくてもよく、例えば、開口部等をクリップ等で固定してもよい。図３は、内側容器２の開口部外側にクリップ９を設けて固定手段とした場合の概略構成の一例を示す断面図である。かかる構成によっても、内側容器２を外側容器１に脱着可能に固定できる。
【００２７】
固定手段による固定の強さは、外側容器１に水等の保温材を満たしても浮力により内側容器２が浮き上がらない程度に強いことが好ましい。かかる固定強度を得るために、内側容器２の重量や形状、保温材の比重等を考慮して固着具が設計されることが望ましい。これにより、内側容器２が空の状態でも内側容器２が浮き上がらなくなる。
【００２８】
また、内側容器２の内面に布など吸水性の素材でできた吸水層を設けてもよい。これにより、飲料容器表面に結露した水分が吸水層に吸収され、手やテーブルが濡れるのを防止できる。
（第２実施形態）
図４は、本発明の第２実施形態の液体保温装置つき飲料容器の概略構成の一例を示す断面図である。以下、図４を参照しながら、本実施形態の液体保温装置つき飲料容器について説明する。
［構造］
図４において図１と相同する構成要素には同一符号が付されている。本実施形態は、第１実施形態の液体保温装置にカップ６が追加されたものであり、他の構成要素は第１実施形態と同じである。よって、本実施形態と第１実施形態との間で相同する構成要素（図１と図４とにおいて同一符号が付されている構成要素）については説明を省略する。
【００２９】
カップ６は、ビール等の飲料を入れて提供するための容器（飲料容器）であって、本実施形態では、上部に開口を有する銅またはステンレス製のカップが用いられる。カップ６の外面は、カップ６がちょうど内側容器２にはまるように、内側容器２の内面と略同一の大きさと形状を有している。内側容器２とカップ６とが密接されることにより、保温材と飲料容器との間の熱交換が促進され、保温効果が高まる。
［使用方法］
使用方法は、基本的に第１実施形態の液体保温装置と同様である。外側容器１と内側容器２は、雄ねじ部４と雌ねじ部５を締め合わせることで固定される。外側容器１と内側容器２の間に氷水等の保温材が入れられる。さらに、カップ６にビール等の飲料を入れ、内側容器２に挿入することで、保温効果を得ることができる。
［効果］
本実施形態では、カップ６が内側容器２と密接しているため、高い保温効果を得ることができる。また、本実施形態においても、第１実施形態と同様な効果を奏する。
［変形例］
カップ６の材料は、耐水性を有するものであれば特に限定されず、例えば、ガラス、陶器、磁器、金属、プラスチック等が好適に用いられる。
【００３０】
内側容器２とカップ６との間の空間が小さすぎると、特に冷たい液体を保温するような場合、結露した水分が内側容器２とカップ６の隙間を埋めてしまい、カップ６が密着されて取り出せなくなりうる。このため、内側容器２の内壁に微小な起伏を設けたり、エンボス加工をしてもよい。あるいは、内側容器２の内部にスペーサを設けてもよい。
【００３１】
すなわち、密接とは一般に密着状態で接していることを指すが、本発明では若干の隙間をもって接している場合も含む。ゴム等の弾性体によりスペーサを形成すると、カップ６の当たりがよく、特に好適である。
【００３２】
その他、本実施形態においても、第１実施形態と同様な変形が可能である。
【産業上の利用可能性】
【００３３】
本発明に係る液体保温装置は、保温効果を有しながらも快適に飲食が可能な液体保温装置として有用である。
【図面の簡単な説明】
【００３４】
【図１】本発明の第１実施形態の液体保温装置の概略構成の一例を示す断面図である。
【図２】本発明の第１実施形態の液体保温装置の使用状態の一例を示す斜視図である。
【図３】本発明の第１実施形態の液体保温装置において、内側容器の開口部外側にクリップを設けて固定手段とした場合の概略構成の一例を示す断面図である。
【図４】本発明の第２実施形態の液体保温装置つき飲料容器の概略構成の一例を示す断面図である。
【符号の説明】
【００３５】
１  外側容器
２  内側容器
３  台
４  雄ねじ部
５  雌ねじ部
６  カップ
７  グラス
８  氷水
９  クリップ
【図１】
2006320538.tif 000003
【図２】
2006320538.tif 000004
【図３】
2006320538.tif 000005
【図４】
2006320538.tif 000006